(57)【要約】      （修正有）【課題】スティックに容易に着脱でき、かつボールの重量に耐えて確実に保持することが可能なボール保持具を提供する。【解決手段】ボール保持部６を一体に支持する装着部７をグリップ部４に沿わせて連結部８を連結することで当該グリップ部４を締め付けて得られる反発力によりボール保持具５が軸方向に抜け止め固定される。第１係止リング１２と第２係止リング１３をグリップ部４の外周に沿わせて先端側の第１係止辺部１２ａに第２係止辺部１３ａを係止することで装着部７が固定される。このとき、第１係止リング１２と第２係止リング１３を係止してグリップ部４を締め付けて得られる反発力によって、装着部７はグリップ部４に抜け止め固定される。また、スティック１からボール保持具５を取り外す場合には、第１係止リング１２と第２係止リング１３の係止状態を解除すればよい。【選択図】図１
0003149114.tif 000002
【実用新案登録請求の範囲】
【請求項１】
マレットゴルフ用スティックのグリップ部に着脱可能に設けられるボール保持具であって、
マレットゴルフ用ボールを挟み込んで保持するボール保持部と、ボール保持部を一体に支持しグリップ部の外周面に沿って装着される曲面部を有する装着部と、装着部の周方向両端を連結する連結部を備え、
ボール保持部を一体に支持する装着部をグリップ部に沿わせて連結部を連結することで当該グリップ部を締め付けて得られる反力により軸方向に抜け止め固定されるボール保持具。
【請求項２】
ボール保持部は単一の金属線をコイル状に連続するように成形し、その頂部の線間を広げ底部で金属線どうしが交差するように１対の金属線リングが形成され、金属線両端部は装着部に各々固着されている請求項１記載のボール保持具。
【請求項３】
曲面部はグリップ部の外形にならって形成され、グリップ部の端部に向かうにしたがって曲率半径が大きくなるように形成されている請求項１記載のボール保持具。
【請求項４】
装着部は複数の曲面部を有し、曲面部どうしは周方向端部に形成された溝部とレール部を係止したまま軸方向にスライドさせてグリップ部へ装着される請求項１記載のボール保持具。
【請求項５】
複数の曲面部が開閉可能に連結された装着部と、金属線をリング状に成形し両端部が曲面部に固着されたボール保持部を有し、曲面部どうしを閉じると金属線リングどうしの頂部の間隔が底部の間隔より広がるような傾きをもって起立する１対の金属線リングが形成される請求項１記載のボール保持具。
【考案の詳細な説明】
【技術分野】
【０００１】
本考案は、マレットゴルフ用スティックのグリップ部に着脱可能に設けられるボール保持具に関する。
【背景技術】
【０００２】
今日、老若男女を問わず手軽にできるスポーツとしてマレットゴルフを楽しむ人口が増えている。マレットゴルフは、ボールをスティックで打ちながらカップインするまでの打数を競うものである。特に、高齢化が急速に進む我が国において、高齢者が健康維持や余暇の楽しみとして利用するケースが多い。
【０００３】
高齢者や体の不自由な者がマレットゴルフを楽しむ場合、リプレイスのために或いはホールごとにカップインしたボールを拾い上げるため、ひざを折り曲げたり、腰を折り曲げてかがんだりする姿勢を頻繁に伴うことから身体に加わる負担が大きいという現状がある。
【０００４】
マレットゴルフではないが、ゴルフボールをプレイス若しくはリプレイス、或いはカップインしたゴルフボールを拾い上げするボール拾上げ具が提案されている。このボール拾い上げ具はゴルフクラブのグリップエンドに巻き付ける面ファスナを備えたベルト状のバンド部にゴルフボールを挟持可能な一対の金属線リングよりなる弾性挟持部が設けられている（特許文献１参照）。
【特許文献１】実用新案登録第３１１０２８１号公報
【考案の開示】
【考案が解決しようとする課題】
【０００５】
しかしながら、通常使用されるゴルフボールは直径φ４２ｍｍ程度重さが４５ｇ程度で比較的小型軽量であるのに対して、マレットゴルフに使用するボールは直径φ７５ｍｍ程度、重さ２５０ｇ程度あり、大きさや重量が著しく異なる。
また、ゴルフボールを一対の金属線リング（弾性挟持部）により挟み込んだとしても、軽量で小径であるため面ファスナを用いたバンド部にて弾性挟持部をぐらつくことなく保持することができる。しかしながら、マレットゴルフ用のボールはゴルフボールに比べて直径が２倍近くあり重量が５倍程度あるため、ボールを挟持した弾性挟持部をベルト状のバンドでは支えきれず弾性挟持部がぐらついてボールが足元に落下するおそれがある。
また、ボールの重量をバンド部が支えきれずに緩み易く、弾性挟持部がグリップから軸方向に抜け落ちてしまうおそれもある。
【０００６】
本考案は、上述した課題を解決するためなされたもので、その目的はスティックに容易に着脱でき、かつボールの重量に耐えて確実に保持することが可能なボール保持具を提供することにある。
【課題を解決するための手段】
【０００７】
本考案は上記目的を達成するため、次の構成を備える。
マレットゴルフ用スティックのグリップ部に着脱可能に設けられるボール保持具であって、マレットゴルフ用ボールを挟み込んで保持するボール保持部と、ボール保持部を一体に支持しグリップ部の外周面に沿って装着される曲面部を有する装着部と、装着部の周方向両端を連結する連結部を備え、ボール保持部を一体に支持する装着部をグリップ部に沿わせて連結部を連結することで当該グリップ部を締め付けて得られる反力により軸方向に抜け止め固定されることを特徴とする。
【０００８】
また、ボール保持部は単一の金属線をコイル状に連続するように成形し、その頂部の線間を広げ底部で金属線どうしが交差するように１対の金属線リングが形成され、金属線両端部は装着部に固着されていることを特徴とする。
【０００９】
また、曲面部はグリップ部の外形にならって形成され、グリップ部の端部に向かうにしたがって曲率半径が大きくなるように形成されていることを特徴とする。
また、装着部は複数の曲面部を有し、曲面部どうしは周方向端部に形成された溝部とレール部を係止したまま軸方向にスライドさせてグリップ部へ装着されることを特徴とする。
また、複数の曲面部が開閉可能に連結された装着部と、金属線をリング状に成形し両端部が曲面部に固着されたボール保持部を有し、曲面部どうしを閉じると金属線リングどうしの頂部の間隔が底部の間隔より広がるような傾きをもって起立する１対の金属線リングが形成されることを特徴とする。
【考案の効果】
【００１０】
上述したボール保持具を用いれば、ボール保持部を一体に支持する装着部をグリップ部に沿わせて連結部を連結することで当該グリップ部を締め付けて得られる反力により軸方向に抜け止め固定される。また、ボール保持部はマレットゴルフ用ボールを挟み込んで保持できるので、打ち終わったボールを使用者が立ったままの姿勢でスティックを反転させてグリーン上或いはカップ内からボールをボール保持部に挟み込んだまま拾い上げることができる。よって、高齢者や体の不自由な者であっても、体に必要以上の負担を強いることなくマレットゴルフを楽しむことができる。
また、ボール保持部は単一の金属線をコイル状に連続するように成形し、その頂部の線間を広げ底部で金属線どうしが交差するように１対の金属線リングが形成されているので、マレットゴルフ用のボールを金属線リングの頂部を押し付けることで該リングの頂部の間隔が一時的に広がってボールを一対の金属線リングの巻き芯部に形成される空間に保持することができる。従って、利用者は、ボールを金属線リングに挟み込んで保持したまま、次の場所に移動してボールを取り外してスティックにより打つことができる。よって、スティックとボールを別々に持つ煩わしさから解放される。
また、金属線両端部は装着部に各々固着されているので、装着部とボール保持部の金属線が例えば抵抗溶接により固着できるので、簡易な構成でゴルフボールに比べてサイズが大きく重量があるマレットゴルフ用のボールを保持することができる。
また、曲面部はグリップ部の外形にならって形成され、該グリップ部の端部に向かうにしたがって曲率半径が大きくなるように形成されていると、曲面部をグリップ外周に沿わせて装着するだけで、軸方向の抜け止めが確実に行える。
【考案を実施するための最良の形態】
【００１１】
以下、本考案の実施形態について図面を参照しながら具体的に説明する。
図１を参照して本実施形態に係るボール保持具の概略構成について説明する。
本実施の形態で説明するのは専らマレットゴルフのスティックもグリップ部に装着可能なボール保持具について説明する。なお、ゲートボール用のスティックに使用することも可能である。
【００１２】
[第１実施例]
先ず、図１（ａ）を参照してスティックの構成について説明する。スティック１はボールを打つヘッド２と、ヘッド２に連結するシャフト３と、シャフト３の端部にラバーで覆われたグリップ部４を備えている。グリップ部４は、クリップエンドに向かって直径が漸進拡大するような形状になっている。ヘッド２及びシャフト３は金属材（ステンレススチール材）が用いられる。また、ボールとしては、直径φ７５ｍｍ程度、重さ２５０ｇ程度の合成樹脂製のボールが用いられる。
【００１３】
ボール保持具５は、マレットゴルフ用スティック１のグリップ部４に着脱可能に設けられる。ボール保持具５は、ボール保持部６と装着部７及び連結部８を備えている。
図１（ａ）において、ボール保持部６は、マレットゴルフ用ボールを挟み込んで保持する１対の金属線リング９を備えている。金属線リング９は単一の金属線をコイル状に連続するように成形し、その頂部９ａの線間を広げ底部９ｂで金属線どうしが交差するように１対のリング状に成形されている。１対の金属線リング９は金属線の巻き芯方向と直交方向から見るとＶ字状に形成されている。
【００１４】
また、装着部７は、金属線リング９を一体に支持しグリップ部４の外周面に沿って装着される金属製の曲面部１０を有する。曲面部１０には凹溝１１が形成され、該凹溝１１に金属線端部９ｃを嵌め込んで抵抗溶接することで金属線リング９が曲面部１０に一体に組み付けられている。曲面部１０はグリップ部の外形にならって形成されて、グリップ部の端部に向かうにしたがって曲率半径が大きくなるように曲面が形成されている。
【００１５】
また、図１（ａ）において、連結部８は、装着部７の周方向両端を連結して締め付けることでグリップ部４の反力を利用して軸方向への抜け止めを行なう。具体的には、曲面部１０の両側には第１係止リング１２と第２係止リング１３を回転可能に保持する溝が形成された保持部１０ａが各々形成されている。
【００１６】
図１（ｂ）において、曲面部１０をグリップ部４の外周に沿わせて、第１係止リング１２と第２係止リング１３をグリップ部４の外周に沿わせて先端側の第１係止辺部１２ａに第２係止辺部１３ａを係止することで装着部７が固定される。このとき、第１係止リング１２と第２係止リング１３を係止してグリップ部４を締め付けて得られる反力によって、装着部７はグリップ部４に抜け止め固定される。また、スティック１からボール保持具５を取り外す場合には、第１係止リング１２と第２係止リング１３の係止状態を解除すればよい。
【００１７】
ボール保持具５の使用例を説明する。ボール保持具５は、予めスティック１に取付けておいても、取り外しておいて必要に応じてグリップ部４に装着するようにしてもいずれでも良い。ボール保持具５がグリップ部４に装着されているものとすると、図１（ａ）において、利用者は、スティック１を用いて打ち終わった或いはカップインしたボールを拾い上げる場合、スティック１のヘッド２とグリップ部４を反対にして持ち変える。
【００１８】
そして、利用者はシャフト３を持ったままボール保持部６の金属線リング９をボール１４の上から押し当てる。これにより金属線リング９の頂部９ａの間隔が一時的に広がってボール１４を一対の金属線リング９の巻き芯部に形成される空間に収容されて保持される（図１（ｂ）参照）。利用者は、ボール１４を金属線リング９に挟み込んで保持したまま、次の場所に移動してボール１４を取り外してスティック１により打つことができる。よって、スティック１とボール１４を別々に持つ煩わしさから解放される。
【００１９】
次に、ボール保持具５の他例について図２乃至図４を参照して説明する。
上述した第１実施例と同一の構成には同一番号を付して説明を援用するものとする。以下では、異なる構成を中心に説明する。
【００２０】
[第２実施例]
本実施例は第１実施例と比べて装着部７の構成が異なっている。装着部７は複数の曲面部が開閉可能に連結されている。図２（ａ）において、第１曲面部１５と第２曲面部１６が蝶番１７を介して開閉可能に連結されている。第１曲面部１５の周方向端部（開放端部）には係止部１８が径方向外側に隆起して形成されている。また、第２曲面部１６の周方向端部（開放端部）には係止ワイヤ１９が保持部１６ａにて回転可能に保持されている。尚、金属線リング９の両端部９ｃは第２曲面部１６に固着（溶接）されているが、第１曲面部１５であってもよいし、一端が第１曲面部１５に他端が第２曲面部１６に各々固着さ
れていても良い。
【００２１】
図２（ｂ）において、スティック１にボール保持具５を装着する場合には、第１曲面部１５及び第２曲面部１６を蝶番１７を中心に回転させながらグリップ部４に沿わせたまま係止ワイヤ１９を係止部１８に係止する。このとき、装着部７がグリップ部４を締め付けて得られる反力によって、ボール保持具５が抜け止め固定される。
【００２２】
[第３実施例]
本実施例も、第１実施例に比べて装着部７及び連結部８の構成が異なっている、即ち、装着部７は第１曲面部１５と第２曲面部１６を組み合わせて用いられる。また、連結部８としては溝部２０とレール部２１の組み合わせが用いられる。図３（ａ）において、第１曲面部１５の周方向端部に内周面側がＶ字状に窪んだ溝部２０が各々形成されている。また、第２の曲面部１６の周方向両端部に径方向外側へ反ったレール部２１が各々設けられている。また、第２曲面部１６には、１対の金属線リング９の両端部９ｃが固着されている。尚、金属線リング９の両端部９ｃは第１曲面部１５に固着されていても良い。
【００２３】
図３（ｂ）において、スティック１にボール保持具５を装着する場合には、第１曲面部１５又は第２曲面部１６をグリップ部４に沿わせたまま、溝部２０とレール部２１を位置合わせした状態で軸方向にスライドさせて装着部７がグリップ部４へ嵌め込まれる。このとき装着部７がグリップ部４を締め付けて得られる反力によって、ボール保持具５が抜け止め固定される。
【００２４】
[第４実施例]
本実施例は、ボール保持部６及び装着部７の構成が異なっている。
図４（ａ）において、第１曲面部１５と第２曲面部１６がワイヤリング２２を介して開閉可能に連結されている。第１曲面部１５の周方向端部（開放端部）には係止部２３が径方向外側に隆起して形成されている。また、第２曲面部１６の周方向端部（開放端部）には係止片２４が設けられている。尚、ワイヤリング２２に替えて蝶番であってもよい。
また、第１曲面部１５及び第２曲面部１６には、金属線がリング状に成形された一重の金属線リング２５が両端部を外周面に各々固着されている。グリップ部４へ装着部７が装着され曲面部どうしを閉じると金属線リング２５どうしの頂部２５ａの間隔が底部２５ｂの間隔より広がるような傾きをもって起立し、１対の金属線リング２５が形成される（図４（ｂ）参照）。
【００２５】
図４（ｂ）において、スティック１にボール保持具５を装着する場合には、第１曲面部１５及び第２曲面部１６をワイヤリング２２を介してグリップ部４に沿わせたまま、係止片２４を係止部２３に係止する。このとき装着部７がグリップ部４を締め付けて得られる反力によって、ボール保持具５が抜け止め固定される。
【００２６】
なお、本考案ではボール保持具を、専らマレットゴルフ用のスティックに装着する場合について説明したが、ボールのサイズやスティックが類似するゲートボール用のスティックに用いても良い。
【図面の簡単な説明】
【００２７】
【図１】第１実施例に係るボール保持具の斜視図及びグリップ部への装着状態の斜視図である。
【図２】第２実施例に係るボール保持具の斜視図及びグリップ部への装着状態の斜視図である。
【図３】第３実施例に係るボール保持具の斜視図及びグリップ部への装着状態の斜視図である。
【図４】第４実施例に係るボール保持具の斜視図及びグリップ部への装着状態の斜視図である。
【符号の説明】
【００２８】
１  スティック
２  ヘッド
３  シャフト
４  グリップ部
５  ボール保持具
６  ボール保持部
７  装着部
８  連結部
９、２５  金属線リング
９ａ、２５ａ  頂部
９ｂ、２５ｂ  底部
９ｃ  金属線端部
１０  曲面部
１０ａ、１６ａ  保持部
１１  凹溝
１２  第１係止リング
１２ａ  第１係止辺部
１３  第２係止リング
１３ａ  第２係止辺部
１４  ボール
１５  第１曲面部
１６  第２曲面部
１７  蝶番
１８、２３  係止部
１９  係止ワイヤ
２０  溝部
２１  レール部
２２  ワイヤリング
２４  係止片
【図１】
0003149114.tif 000003
【図２】
0003149114.tif 000004
【図３】
0003149114.tif 000005
【図４】
0003149114.tif 000006